(57)【特許請求の範囲】
【請求項１】
画像表示領域には各々が表示素子を備えた複数の第一画素と複数の第二画素とが互いに
隣接してマトリックス状に配置され、前記画像表示領域の視認側には該画像表示領域と平
面的に重なる遮光部材が配置され、前記遮光部材には前記第一画素と前記第二画素の各々
をそれぞれ部分的に露出させる開口部が複数形成され、前記開口部の第一の方向からは前
記第一画素のみが、第二の方向からは前記第二画素のみが視認可能に配置され、前記第二
の方向が前記画像表示領域の法線となす角度が、前記第一の方向が前記法線となす角度よ
りも大きい電気光学装置であって、
前記第一画素と前記第二画素は、前記画像表示領域の縦方向及び横方向にそれぞれ交互
に配置され、
前記第一画素の光透過領域の面積が前記第二画素の光透過領域の面積よりも小さいこと
を特徴とする電気光学装置。
【請求項２】
前記第一画素の前記光透過領域の前記縦方向の幅が、前記第二画素の前記光透過領域の
前記縦方向の幅よりも小さいことを特徴とする請求項１記載の電気光学装置。
【請求項３】
前記第一画素の前記光透過領域の前記横方向の幅が、前記第二画素の前記光透過領域の
前記横方向の幅よりも小さいことを特徴とする請求項１または請求項２に記載の電気光学
装置。
【請求項４】
前記表示素子は薄膜トランジスタを備え、前記縦方向に互いに隣接して前記横方向に並
んだ複数の前記第一画素と複数の前記第二画素の各々において、前記薄膜トランジスタは
前記隣接する前記第一画素と前記第二画素との境界の近傍に形成されていることを特徴と
する請求項１ないし請求項３のいずれか一項に記載の電気光学装置。
【請求項５】
前記表示素子は薄膜トランジスタを備え、前記横方向に互いに隣接して前記縦方向に並
んだ複数の前記第一画素と複数の前記第二画素の各々において、前記薄膜トランジスタは
前記隣接する前記第一画素と前記第二画素との境界の近傍に形成されていることを特徴と
する請求項１ないし請求項４のいずれか一項に記載の電気光学装置。
【発明の詳細な説明】
【技術分野】
【０００１】
この発明は、電気光学装置に関するものである。
【背景技術】
【０００２】
従来から、画像表示領域には各々が表示素子を備えた複数の第一画素と複数の第二画素
とが互いに隣接してマトリックス状に配置され、画像表示領域の視認側には、画像表示領
域と平面的に重なる遮光部材が配置され、遮光部材には第一画素と第二画素の各々をそれ
ぞれ部分的に露出させる開口部が複数形成され、開口部は第一の方向からは第一画素のみ
が、第二の方向からは第二画素のみが視認可能に配置され、第一の方向が画像表示領域の
法線となす角度が、第二の方向が法線となす角度よりも小さい電気光学装置が知られてい
る（例えば、特許文献１参照）。
【０００３】
特許文献１に記載されたマルチビュー表示装置によれば、運転席の運転者側にはナビゲ
ーション画像等の運転席用の画像を表示し、助手席の搭乗者にはＤＶＤ画像等の助手席用
の画像を表示することができる。さらに、交通安全上の観点から運転者が助手席側に顔を
ずらして覗き込むことを防止するために、光遮蔽部の位置を運転席用の画像を構成する画
素と助手席用の画像を構成する画素との中間から助手席側にずらすことで、助手席用の画
像が見える範囲を助手席側にずらし、運転席側から見え難くする技術が開示されている。
【特許文献１】特開２００６−１８４８６０号公報
【発明の開示】
【発明が解決しようとする課題】
【０００４】
しかしながら、上記従来の電気光学装置においては、助手席用の画像の視野範囲が運転
席用の画像の視野範囲よりも狭くなるため、助手席用の画像の明るさが運転席用の画像の
明るさよりも暗くなるという課題がある。
【０００５】
そこで、この発明は、異なる方向にそれぞれ表示された異なる画像の視野範囲を異なら
せた場合であっても、各画像の明るさを均一にすることができる電気光学装置を提供する
ものである。
【課題を解決するための手段】
【０００６】
上記の課題を解決するために、本発明の電気光学装置は、画像表示領域には各々が表示
素子を備えた複数の第一画素と複数の第二画素とが互いに隣接してマトリックス状に配置
され、前記画像表示領域の視認側には該画像表示領域と平面的に重なる遮光部材が配置さ
れ、前記遮光部材には前記第一画素と前記第二画素の各々をそれぞれ部分的に露出させる
開口部が複数形成され、前記開口部の第一の方向からは前記第一画素のみが、第二の方向
からは前記第二画素のみが視認可能に配置され、前記第二の方向が前記画像表示領域の法
線となす角度が、前記第一の方向が前記法線となす角度よりも大きい電気光学装置であっ
て、前記第一画素と前記第二画素は、前記画像表示領域の縦方向及び横方向にそれぞれ交
互に配置され、前記第一画素の光透過領域の面積が前記第二画素の光透過領域の面積より
も大きいことを特徴とする。
【０００７】
このように構成することで、第一の方向から遮光部材の開口部を通して第一の画素を視
認可能な第一画素の視野範囲よりも、第二の方向から遮光部材の開口部を通して第二の画
素を視認可能な第二画素の視野範囲のほうが狭くなる。すなわち、観察者が第一の方向か
ら第一画素を見た場合に開口部を通して見える第一画素の面積の方が、第二の方向から第
二画素を見た場合に開口部を通して見える第二画素の面積よりも大きくなる。
ここで、本発明では、第一画素の光透過領域の面積の方が、第二画素の光透過領域の面
積よりも小さく形成されている。このため、観察者が第一の方向から視認可能な第一画素
の光透過領域の面積と、第二の方向から視認可能な第二画素の光透過領域の面積との差を
小さくするか、またはなくすことができる。
したがって、本発明の電気光学装置によれば、第一の方向における視野範囲が第二の方
向における視野範囲よりも広い場合であっても、第一の画素により構成されて第一の方向
に表示された画像の明るさと、第二の画素により構成されて第二の方向に表示された画像
の明るさを均一にすることができる。
【０００８】
また、本発明の電気光学装置は、前記第一画素の前記光透過領域の前記縦方向の幅が、
前記第二画素の前記光透過領域の前記縦方向の幅よりも小さいことを特徴とする。
【０００９】
このように構成することで、第一画素及び第二画素の光透過領域の縦方向の幅を調整し
て、第一画素の光透過領域の面積を第二画素の光透過領域の面積よりも小さくすることが
できる。
【００１０】
また、本発明の電気光学装置は、前記第一画素の前記光透過領域の前記横方向の幅が、
前記第二画素の前記光透過領域の前記横方向の幅よりも小さいことを特徴とする。
【００１１】
このように構成することで、第一画素及び第二画素の光透過領域の横方向の幅を調整し
て、第一画素の光透過領域の面積を第二画素の光透過領域の面積よりも小さくすることが
できる。
【００１２】
また、本発明の電気光学装置は、前記表示素子は薄膜トランジスタを備え、前記縦方向
に互いに隣接して前記横方向に並んだ複数の前記第一画素と複数の前記第二画素の各々に
おいて、前記薄膜トランジスタは前記縦方向に互いに隣接する前記第一画素と前記第二画
素との境界の近傍に形成されていることを特徴とする。
【００１３】
このように構成することで、画像表示領域の縦方向において、第一画素の薄膜トランジ
スタが形成されていない側の境界と、第二画素の薄膜トランジスタが形成されていない側
の境界とを隣り合わせることができる。これにより、縦方向に隣接する第一画素と第二画
素における各光透過領域の面積調整の自由度を向上させることができる。
【００１４】
また、本発明の電気光学装置は、前記表示素子は薄膜トランジスタを備え、前記横方向
に互いに隣接して前記縦方向に並んだ複数の前記第一画素と複数の前記第二画素の各々に
おいて、前記薄膜トランジスタは前記隣接する前記第一画素と前記第二画素との境界の近
傍に形成されていることを特徴とする。
【００１５】
このように構成することで、画像表示領域の横方向において、第一画素の薄膜トランジ
スタが形成されていない側の境界と、第二画素の薄膜トランジスタが形成されていない側
の境界とを隣り合わせることができる。これにより、横方向に隣接する第一画素と第二画
素における各光透過領域の面積調整の自由度を向上させることができる。
【発明を実施するための最良の形態】
【００１６】
＜第一実施形態＞
以下、本発明の第一実施形態について図面を参照して説明する。なお、以下の各図面で
は、各層や各部材を図面上で認識可能な程度の大きさとするため、各層や各部材により縮
尺を適宜変更している。
本実施形態における電気光学装置は、運転席側の運転者と助手席側の搭乗者に異なる画
像を表示する車載型のカラー液晶装置であって、Ｒ（赤）、Ｇ（緑）、Ｂ（青）の各色光
を出力する３個のサブ画素で１個の画素を構成し、画像表示領域に運転席用の画像を構成
する複数の右サブ画素と助手席用の画像を構成する複数の左サブ画素とを備えるものであ
る。
【００１７】
図１は、本実施形態の液晶装置１の等価回路図である。
図１に示すように、液晶装置１の画像表示領域においては、運転席用の画像を構成する
右サブ画素Ｒと助手席用の画象を構成する左サブ画素Ｌとが互いに隣接してマトリックス
状に配置されている。右サブ画素Ｒ及び左サブ画素Ｌは、それぞれ表示素子として画素電
極１１Ｒ，１１Ｌと、画素電極１１Ｒ，１１Ｌをスイッチング制御するためのＴＦＴ（Th
in Film Transistor：薄膜トランジスタ）素子１２Ｒ，１２Ｌと、を備えている。
【００１８】
右サブ画素ＲのＴＦＴ素子１２Ｒは、ソースが液晶装置１に設けられたデータ線駆動回
路１３から延在する右サブ画素Ｒ用のデータ線１４Ｒに接続され、ゲートが液晶装置１に
設けられた走査線駆動回路１５から延在する右サブ画素Ｒ用の走査線１６Ｒに接続され、
ドレインが右サブ画素Ｒ用の画素電極１１Ｒに接続されている。
また、左サブ画素ＬのＴＦＴ素子１２Ｌは、ソースがデータ線駆動回路１３から延在す
る左サブ画素Ｌ用のデータ線１４Ｌに接続され、ゲートが走査線駆動回路１５から延在す
る左サブ画素Ｌ用の走査線１６Ｌに接続され、ドレインが左サブ画素Ｌ用の画素電極１１
Ｌに接続されている。
【００１９】
データ線駆動回路１３は、データ線１４Ｒを介して画像信号Ｓ１Ｒ、Ｓ２Ｒ、…、Ｓｎ
Ｒを各々の右サブ画素Ｒに供給する構成となっている。また、走査線駆動回路１５は、走
査線１６Ｒを介して走査信号Ｇ１Ｒ、Ｇ２Ｒ、…、ＧｍＲを各々の右サブ画素Ｒに供給す
る構成となっている。
また、データ線駆動回路１３は、データ線１４Ｌを介して画像信号Ｓ１Ｌ、Ｓ２Ｌ、…
、ＳｎＬを各々の左サブ画素Ｌに供給する構成となっている。また、走査線駆動回路１５
は、走査線１６Ｌを介して走査信号Ｇ１Ｌ、Ｇ２Ｌ、…、ＧｍＬを各々の左サブ画素Ｌに
供給する構成となっている。
【００２０】
ここで、データ線駆動回路１３は、画像信号Ｓ１Ｒ〜ＳｎＲ，Ｓ１Ｌ〜ＳｎＬをこの順
で線順次で供給してもよく、互いに隣接する複数のデータ線１４Ｒ，１４Ｌ同士に対して
グループごとに供給してもよい。また、走査線駆動回路１５は、走査信号Ｇ１Ｒ〜ＧｍＲ
，Ｇ１Ｌ〜ＧｍＬを所定のタイミングでパルス的に線順次で供給する。
【００２１】
液晶装置１は、スイッチング素子であるＴＦＴ素子１２Ｒ，１２Ｌが走査信号Ｇ１Ｒ〜
ＧｍＲ，Ｇ１Ｌ〜ＧｍＬの入力により一定期間だけオン状態とされることで、データ線１
４Ｒ，１４Ｌから供給される画像信号Ｓ１Ｒ〜ＳｎＲ，Ｓ１Ｌ〜ＳｎＬが所定のタイミン
グで画素電極１１Ｒ，１１Ｌに書き込まれる構成となっている。
画素電極１１Ｒ，１１Ｌを介してそれぞれ液晶に書き込まれた所定レベルの画像信号Ｓ
１Ｒ〜ＳｎＲ，Ｓ１Ｌ〜ＳｎＬは、画素電極１１Ｒ，１１Ｌと液晶を介して配置された後
述する共通電極４１との間で一定期間保持される。ここで、保持された画像信号Ｓ１Ｒ〜
ＳｎＲ，Ｓ１Ｌ〜ＳｎＬがリークすることを防止するため、画素電極１１Ｒ，１１Ｌと後
述する共通電極４１との間に形成される液晶容量と並列接続されるように蓄積容量１８Ｒ
，１８Ｌが付与されている。この蓄積容量１８Ｒ，１８Ｌは、それぞれＴＦＴ素子１２Ｒ
，１２Ｌのドレインと容量線１９との間に設けられている。
【００２２】
図２は、本実施形態の液晶装置１の画像表示領域の右サブ画素Ｒ及び左サブ画素Ｌを示
す部分拡大平面図である。図３は、図２のＡ−Ａ’線に沿う断面図である。なお、図２で
は、遮光部材５５の図示を省略している。図４は、本実施形態の液晶装置１を自動車の助
手席と運転席（ハンドルＨが設置された側）との間に配置したときの模式図である。また
、図２〜図４においては、画像表示領域の横方向にＸ軸を、画像表示領域の縦方向にＹ軸
を、画像表示領域の法線方向にＺ軸を設定したＸＹＺ直交座標系を用いて説明する。なお
、観察者から見て画像表示領域の右方向をＸ軸の正方向とし、画像表示領域の上方向をＹ
軸の正方向としている。
【００２３】
図２に示すように、本実施形態の液晶装置１の画像表示領域には、右サブ画素Ｒと左サ
ブ画素Ｌとが、それぞれ画像表示領域の縦方向（Ｙ軸方向）及び横方向（Ｘ軸方向）に交
互に配置されている。
また、図３に示すように、液晶装置１は、液晶層２３を挟持する素子基板２１と対向基
板２２とを備えている。素子基板２１は、例えばガラスや石英、プラスチックなどの透光
性材料からなる基板本体３１を備えている。図３では図示を省略するが、基板本体３１上
には、図１に示すデータ線１４Ｒ，１４Ｌ、走査線１６Ｒ，１６Ｌ及び容量線１９等が形
成され、これらを覆って上述のＴＦＴ素子１２Ｒ，１２Ｌや蓄積容量１８Ｒ，１８Ｌ等を
含む機能層３２が形成されている。
【００２４】
機能層３２は、例えばＳｉＯ２等の絶縁材料からなるゲート絶縁膜や、ゲート絶縁膜上
に形成されたＴＦＴ素子１２Ｒ，１２Ｌの半導体層を覆うＳｉＯ２等の絶縁材料からなる
層間絶縁膜等により構成されている。
機能層３２の液晶層２３側の表面には、上述の画素電極１１Ｒ，１１Ｌが形成されてい
る。画素電極１１Ｒ，１１Ｌは、例えば、ＩＴＯ（インジウム錫酸化物）等の透明導電性
材料により形成されている。画素電極１１Ｒ，１１Ｌは、機能層３２に形成されたコンタ
クトホール（図示省略）を介してＴＦＴ素子１２Ｒ，１２Ｌのドレインに接続されている
。
【００２５】
また、機能層３２の液晶層２３側の表面には、画素電極１１Ｒ，１１Ｌを覆うように、
例えばポリイミド等の有機材料や、シリコン酸化物などの無機材料からなる配向膜３３が
形成されている。配向膜３３の上面には、液晶層２３を構成する液晶分子を配向規制する
ための配向処理が施されている。また、素子基板２１の外側（液晶層２３の反対側）には
、偏光板２４が接合されている。また、素子基板２１の外側には、ＬＥＤ等の光源や反射
板、導光板等からなるバックライト装置（図示省略）が配置されている。
【００２６】
素子基板２１に対向配置された対向基板２２は、例えばガラスや石英、プラスチックな
どの透光性材料で構成された基板本体５１を備えている。基板本体５１の内側（液晶層２
３側）には、例えば、クロム等、遮光性を有する材料によって遮光膜５２が形成されてい
る。遮光膜５２には、各々の右サブ画素Ｒ及び左サブ画素Ｌに対応してそれぞれ開口部５
２Ｒ及び開口部５２Ｌが形成されている。そして、開口部５２Ｒ及び開口部５２Ｌの形成
領域が、それぞれ右サブ画素Ｒ及び左サブ画素Ｌの光透過領域となっている。
【００２７】
開口部５２Ｒ及び開口部５２Ｌの形成領域内には、カラーフィルタ層５３が配置されて
いる。カラーフィルタ層５３は、赤（Ｒ）、緑（Ｇ）、青（Ｂ）の色材を備えている。
なお、図２及び図３では、カラーフィルタ層５３の赤（Ｒ）の色材が配置された右サブ
画素Ｒ及び左サブ画素Ｌを、それぞれ「Ｒ（Ｒ）」及び「Ｌ（Ｒ）」と表している。同様
に、緑（Ｇ）の色材が配置された右サブ画素Ｒ及び左サブ画素Ｌを、それぞれ「Ｒ（Ｇ）
」及び「Ｌ（Ｇ）」、青（Ｂ）の色材が配置された右サブ画素Ｒ及び左サブ画素Ｌを、そ
れぞれ「Ｒ（Ｂ）」及び「Ｌ（Ｂ）」と表している。
【００２８】
図２に示すように、本実施形態では、右サブ画素Ｒの開口部５２Ｒの縦方向（Ｙ軸方向
）の幅ＷＲ１が左サブ画素Ｌの開口部５２Ｌの縦方向の幅ＷＬ１よりも小さくなっている
。また、右サブ画素Ｒの横方向（Ｘ軸方向）の幅ＷＲ２は左サブ画素Ｌの横方向の幅ＷＬ
２と略等しくなっている。これにより、右サブ画素Ｒの開口部５２Ｒの開口面積が、左サ
ブ画素Ｌの開口部５２Ｌの開口面積よりも小さくなるように形成され、右サブ画素Ｒの光
透過領域の面積が左サブ画素Ｌの光透過領域の面積よりも小さくなっている。したがって
、右サブ画素Ｒ（Ｒ），Ｒ（Ｇ），Ｒ（Ｂ）によって構成され、運転席用の画像を表示す
るための画素の光透過領域が、左サブ画素Ｌ（Ｒ），Ｌ（Ｇ），Ｌ（Ｂ）によって構成さ
れ、助手席用の画像を表示するための画素の光透過領域よりも小さくなっている。
【００２９】
図３に示すように、カラーフィルタ層５３及び遮光膜５２の液晶層２３側には共通電極
４１が形成されている。共通電極４１は液晶装置１の画素表示領域の略全域に複数の画素
に亘って形成されている。共通電極４１は、例えば、ＩＴＯ等の透明導電性材料により形
成されている。
共通電極４１の液晶層２３側には、共通電極４１を覆って、例えばポリイミド等の有機
材料や、シリコン酸化物などの無機材料からなる配向膜５４が形成されている。
【００３０】
対向基板２２の基板本体５１の外側（液晶層２３の反対側）、すなわち液晶装置１の視
認側（Ｚ軸正方向側）には、例えば、クロム等の遮光性を有する材料により遮光部材５５
が形成されている。遮光部材５５は、画素電極１１Ｒ，１１Ｌ及びＴＦＴ素子１２Ｒ，１
２Ｌ（図１参照）等を含む表示素子がマトリックス状に配列された液晶装置１の画像表示
領域と法線方向（Ｚ軸方向）に平面的に重なるように配置されている。そして、遮光部材
５５には、複数のスリット開口部（開口部）５５Ｓが形成されている。
【００３１】
図２に示すように、遮光部材５５のスリット開口部５５Ｓは、画像表示領域の横方向に
互いに隣接する右サブ画素Ｒと左サブ画素Ｌとの間に略矩形状に開口されている。そして
、スリット開口部５５Ｓは、画像表示領域の横方向の及び縦方向に交互に配置された右サ
ブ画素Ｒと左サブ画素Ｌを、それぞれ部分的に露出させるように形成されている。
【００３２】
また、図３及び図４に示すように、スリット開口部５５Ｓには、画像表示領域の横方向
において左側（Ｙ軸負方向側）に右サブ画素Ｒが、右側（Ｙ軸正方向側）に左サブ画素Ｌ
が露出するように形成されている。これにより、スリット開口部５５Ｓは、画像表示領域
の縦方向に隣接するスリット開口部５５Ｓ同士が横方向に互い違いに配置された市松模様
状の配列に形成されている。画像表示領域をその方線方向から見たときに、スリット開口
部５５Ｓによって遮光部材５５から露出された右サブ画素Ｒの面積は、スリット開口部５
５Ｓに露出された左サブ画素Ｌの面積よりも大きくなっている。
【００３３】
そのため、スリット開口部５５Ｓは、図３及び図４に示すように、液晶装置１の画像表
示領域の法線方向（Ｚ軸方向）と角度θ１をなす運転席側の第一の方向Ｄ１からは、スリ
ット開口部５５Ｓを通して左サブ画素Ｌのみが視認可能に形成され、画像表示領域の法線
方向と角度θ２をなす助手席側の第二の方向Ｄ２からは、スリット開口部５５Ｓを通して
右サブ画素Ｒのみが視認可能な配置となっている。そして、助手席側の第二の方向Ｄ２が
法線方向となす角度θ２は、運転席側の第一の方向Ｄ１が法線方向となす角度θ１よりも
大きく形成されることにより、助手席用の映像が運転席側から覗き込みにくい構成とされ
ている。
【００３４】
次に、この実施の形態の作用について説明する。
本実施形態では、図４に示すように、液晶装置１は、自動車の運転席（ハンドルＨ側）
の運転者Ｄｖと助手席の搭乗者Ｐｓとの間の前方に設置される。ここで、図２及び図３に
示すように、遮光部材５５の開口部５５Ｓが、右サブ画素Ｒと左サブ画素Ｌとの中間から
助手席側（Ｘ軸負方向側）にずれている。そのため、図４に示すように、運転席側の第一
の方向Ｄ１から遮光部材５５のスリット開口部５５Ｓを通して右サブ画素Ｒを視認可能な
範囲である右サブ画素Ｒの視野範囲ＶＲ１よりも、助手席側の第二の方向Ｄ２から遮光部
材５５のスリット開口部５５Ｓを通して右サブ画素Ｒを視認可能な範囲である左サブ画素
Ｌの視野範囲ＶＲ２のほうが狭くなる。
【００３５】
すなわち、運転者Ｄｖが、角度θ１（第一の方向Ｄ１からみた画像の輝度が最大になる
角度）から遮光部材５５のスリット開口部５５Ｓを通して見える右サブ画素Ｒの面積の方
が、搭乗者Ｐｓが、角度θ２（第二の方向Ｄ２からみた画像の輝度が最大になる角度）か
らスリット開口部５５Ｓを通して見える左サブ画素Ｌの面積よりも大きくなる。
【００３６】
ここで、本実施形態では右サブ画素Ｒにおける遮光膜５２の開口部５２Ｒの開口面積よ
りも左サブ画素Ｌのおける遮光膜５２の開口部５２Ｌの開口面積の方が小さく形成されて
いる。そして、右サブ画素Ｒの光透過領域の面積の方が、左サブ画素Ｌの光透過領域の面
積よりも小さく形成されている。このため、運転席側の第一の方向Ｄ１の運転者Ｄｖが視
認可能な右サブ画素Ｒの光透過領域の面積と、助手席側の第二の方向Ｄ２の搭乗者Ｐｓが
視認可能な左サブ画素Ｌの光透過領域の面積との差を小さくするか、またはなくすことが
できる。
【００３７】
図５は、液晶装置１の画像表示領域の法線方向（Ｚ軸方向）からの傾き角度θと輝度の
関係を示すグラフである。ここで、傾き角度θは、法線方向から助手席方向（図４のＸ軸
負方向）への傾きを正、運転席方向（図４のＸ軸正方向）への傾きを負としている。
また、図５中、本実施形態の液晶装置１のデータを実線ｄ１で表している。また、図中
、右サブ画素Ｒと左サブ画素Ｌとの光透過領域の面積を等しくした以外は本実施形態の液
晶装置と同様の構成を備えた液晶装置のデータを二点鎖線ｄ２で示している。また、右サ
ブ画素Ｒと左サブ画素Ｌとの光透過領域の面積を等しくし、遮光部材５５のスリット開口
を右サブ画素Ｒと左サブ画素Ｌとの中間に形成した以外は本実施形態の液晶装置１と同様
の構成を備えた液晶装置のデータを破線ｄ３で示している。また、図中、点線ｄ０は、遮
光部材を設けなかった液晶装置のデータである。
【００３８】
図５に示すように、液晶装置１において遮光部材５５を設けなかった場合には、点線ｄ
０に示すように、法線方向からの傾き角度θが正方向、負方向に大きくなるに従って、緩
やかに輝度が減少していく。
また、破線ｄ３で示す液晶装置の場合には、助手席側で輝度が最大になるピークＰ３と
運転席側で輝度が最大になるピークＰ３の輝度は略等しくなっている。しかし、助手席側
（θ軸正方向側）の輝度のピークＰ３における傾きθと、運転席側（θ軸負方向側）の輝
度のピークＰ３における傾きθの大きさは、例えばθ＝±３０°前後で略等しくとなって
いる。したがって、運転席側の運転者Ｄｖが容易に助手席用の映像を覗き込むことができ
てしまう。
【００３９】
また、二点鎖線ｄ２で示す液晶装置の場合には、運転席側の輝度のピークＰ２ｄの方が
助手席側の輝度のピークＰ２ｐよりも大きくなってしまう。しかし、本実施形態の液晶装
置１と同様の遮光部材５５を備えているので、ピークＰ２ｄ及びピークＰ２ｐは、助手席
側にずれた状態となり、運転者Ｄｖの覗き込みは防止することができる。
一方、実線ｄ１で示す本実施形態の液晶装置１では、運転席側の輝度のピークＰ１と助
手席側の輝度のピークＰ２の大きさが略等しくなっている。加えて、ピークＰ１，Ｐ１が
助手席側にずれた状態となっている。
【００４０】
したがって、本実施形態の液晶装置１によれば、運転席側の第一の方向Ｄ１における視
野範囲ＶＲ１が、助手席側の第二の方向Ｄ２における視野範囲ＶＲ２よりも広い場合であ
っても、右サブ画素Ｒからなる画素により構成されて運転席側の第一の方向Ｄ１に表示さ
れた運転席用の画像の明るさと、左サブ画素Ｌからなる画素により構成されて助手席側の
第二の方向Ｄ２に表示された助手席用の画像の明るさを均一にすることができる。
【００４１】
また、本実施形態では、右サブ画素Ｒの光透過領域の縦方向の幅を、左サブ画素Ｌの光
透過領域の縦方向の幅よりも小さく形成することで、右サブ画素Ｒと左サブ画素Ｌの光透
過領域の大小関係を調整し、右サブ画素Ｒの光透過領域の面積を左サブ画素Ｌの光透過領
域の面積よりも小さくすることができる。
【００４２】
＜第二実施形態＞
次に、本発明の第二実施形態について、図１、図３〜図５を援用し、図６を用いて説明
する。本実施形態では、画像表示領域の縦方向に隣接する右サブ画素と左サブ画素のＴＦ
Ｔ素子が、縦方向の上下の境界に交互に配置されている点で、上述の第一実施形態で説明
した液晶装置１と異なっている。その他の点は第一実施形態と同様であるので、同一の部
分には同一の符号を付して説明は省略する。
【００４３】
図６に示すように、本実施形態の液晶装置１Ｂでは、画像表示領域の縦方向（Ｙ軸方向
）に互いに隣接する右サブ画素Ｒと左サブ画素Ｌとが、横方向（Ｘ軸方向）に複数並んだ
ユニット配列Ｕｘにおいて、縦方向上側（Ｙ軸正方向側）の横配列Ｕｘ１の右サブ画素Ｒ
と左サブ画素ＬのＴＦＴ素子１２Ｒ，１２Ｌは、ユニット配列Ｕｘの縦方向上側の境界の
近傍に配置されている。
【００４４】
また、ユニット配列Ｕｘにおいて、縦方向下側（Ｙ軸負方向側）の横配列Ｕｘ２の右サ
ブ画素Ｒと左サブ画素ＬのＴＦＴ素子１２Ｒ，１２Ｌも、ユニット配列Ｕｘの縦方向下側
の境界の近傍に配置されている。そのため、画像表示領域の縦方向に互いに隣接するユニ
ット配列Ｕｘ同士の間では、ＴＦＴ素子１２Ｒ，１２Ｌは、それぞれ縦方向に互いに隣接
する右サブ画素Ｒと左サブ画素Ｌとの境界の近傍に形成されている。
【００４５】
このように構成することで、画像表示領域の縦方向において、横配列Ｕｘ１と横配列Ｕ
ｘ２の右サブ画素ＲのＴＦＴ素子１２Ｒが形成されていない側の境界と、左サブ画素Ｌの
ＴＦＴ素子１２Ｌが形成されていない側の境界とを、縦方向に隣り合わせることができる
。すなわち、ユニット配列Ｕｘにおいて縦方向に隣接する右サブ画素Ｒと左サブ画素Ｌと
の間にＴＦＴ素子１２Ｒ，１２Ｌ及び配線等が形成されないので、右サブ画素Ｒと左サブ
画素Ｌの遮光膜５２の開口部５２Ｒ，５２Ｌの開口面積の調整の自由度が向上する。した
がって、右サブ画素Ｒ及び左サブ画素Ｌの各光透過領域の面積調整の自由度を向上させる
ことができる。
【００４６】
＜第三実施形態＞
次に、本発明の第三実施形態について、図１、図３〜図５を援用し、図７を用いて説明
する。本実施形態では、右サブ画素Ｒの遮光膜５２の開口部５２Ｒの横方向の幅ＷＲ２が
、左サブ画素Ｌの遮光膜５２の開口部５２Ｒの幅ＷＬ２よりも小さく形成され、開口部５
２Ｒ，５２Ｌの縦方向の幅ＷＲ１，ＷＬ１が略等しく形成されている点で、上述の第一実
施形態で説明した液晶装置１と異なっている。その他の点は第一実施形態と同様であるの
で、同一の部分には同一の符号を付して説明は省略する。
【００４７】
本実施形態の液晶装置１Ｃは、右サブ画素Ｒの遮光膜５２の開口部５２Ｒの横方向の幅
ＷＲ２が、左サブ画素Ｌの遮光膜５２の開口部５２Ｌの横方向の幅ＷＬ２よりも小さくな
っている。これにより、右サブ画素Ｒの光透過領域の面積が左サブ画素Ｌの光透過領域の
面積よりも小さくなっている。
したがって、本実施形態によれば、右サブ画素Ｒ及び左サブ画素Ｌの光透過領域の横方
向の幅ＷＲ２，ＷＬ２を調整して、右サブ画素Ｒの光透過領域の面積を左サブ画素Ｌの光
透過領域の面積よりも小さくすることができる。
【００４８】
＜第四実施形態＞
次に、本発明の第四実施形態について、図１、図３〜図５を援用し、図８を用いて説明
する。本実施形態では、画像表示領域の横方向に隣接する右サブ画素Ｒと左サブ画素Ｌの
ＴＦＴ素子１２Ｒ，１２Ｌが、横方向の左右の境界に交互に配置されている点で、上述の
第三実施形態で説明した液晶装置１Ｃと異なっている。その他の点は第三実施形態と同様
であるので、同一の部分には同一の符号を付して説明は省略する。
【００４９】
図８に示すように、本実施形態の液晶装置１Ｄでは、画像表示領域の横方向（Ｘ軸方向
）に互いに隣接する右サブ画素Ｒと左サブ画素Ｌとが、縦方向（Ｙ軸方向）に複数並んだ
ユニット配列Ｕｙにおいて、横方向左側（Ｘ軸負方向側）の縦配列Ｕｙ１の右サブ画素Ｒ
と左サブ画素ＬのＴＦＴ素子１２Ｒ，１２Ｌは、ユニット配列Ｕｙの横方向左側の境界の
近傍に配置されている。
【００５０】
また、ユニット配列Ｕｙにおいて、横方向右側（Ｘ軸正方向側）の縦配列Ｕｙ２の右サ
ブ画素Ｒと左サブ画素ＬのＴＦＴ素子１２Ｒ，１２Ｌも、ユニット配列Ｕｙの横方向右側
の境界の近傍に配置されている。そのため、画像表示領域の横方向に互いに隣接するユニ
ット配列Ｕｙ同士の間では、ＴＦＴ素子１２Ｒ，１２Ｌは、横方向に互いに隣接する右サ
ブ画素Ｒと左サブ画素Ｌとの境界の近傍に形成されている。
【００５１】
このように構成することで、画像表示領域の横方向において、縦配列Ｕｙ１と縦配列Ｕ
ｙ２の右サブ画素ＲのＴＦＴ素子１２Ｒが形成されていない側の境界と、左サブ画素Ｌの
ＴＦＴ素子１２Ｌが形成されていない側の境界とを、横方向に隣り合わせることができる
。すなわち、ユニット配列Ｕｙにおいて横方向に隣接する右サブ画素Ｒと左サブ画素Ｌと
の間にＴＦＴ素子１２Ｒ，１２Ｌ及び配線等が形成されないので、右サブ画素Ｒと左サブ
画素Ｌの遮光膜５２の開口部５２Ｒ，５２Ｌの開口面積の調整の自由度が向上する。した
がって、右サブ画素Ｒ及び左サブ画素Ｌの各光透過領域の面積調整の自由度を向上させる
ことができる。
【００５２】
尚、この発明は上述した実施の形態に限られるものではなく、本発明の趣旨を逸脱しな
い範囲で種々変形して実施することができる。例えば、上述の実施形態では、電気光学装
置として液晶装置を用いて説明したが、上述のように第一画素、第二画素、遮光部材及び
遮光膜を備えるものであれば、液晶装置に限られない。例えば、液晶装置の代わりに有機
ＥＬ装置等を用いてもよい。
【図面の簡単な説明】
【００５３】
【図１】本発明の第一実施形態に係る液晶装置の等価回路図である。
【図２】本発明の第一実施形態に係る液晶装置の画像表示領域の拡大平面図である。
【図３】図２のＡ−Ａ’線に沿う断面図である。
【図４】本発明の第一実施形態に係る液晶装置の配置例を示す模式図である。
【図５】本発明の第一実施形態に係る液晶装置の観察方向の法線からの角度と輝度の関係を示すグラフである。
【図６】本発明の第二実施形態に係る液晶装置の画像表示領域の拡大平面図である。
【図７】本発明の第三実施形態に係る液晶装置の画像表示領域の拡大平面図である。
【図８】本発明の第四実施形態に係る液晶装置の画像表示領域の拡大平面図である。
【符号の説明】
【００５４】
１，１Ｂ，１Ｃ，１Ｄ  液晶装置（電気光学装置）、Ｌ  左サブ画素（第二画素）、Ｒ  
右サブ画素（第一画素）、１１Ｌ，１１Ｒ  画素電極（表示素子）、１２Ｌ，１２Ｒ  Ｔ
ＦＴ素子（表示素子、薄膜トランジスタ）、５２Ｌ  開口部（光透過領域）、５２Ｒ  開
口部（光透過領域）、５５  遮光部材、５５Ｓ  スリット開口部（開口部）、Ｄ１  第一
の方向、Ｄ２  第二の方向、ＷＬ１，ＷＬ２，ＷＲ１，ＷＲ２  幅、θ１，θ２  角度
【図１】
0005104482.tif 000002
【図２】
0005104482.tif 000003
【図３】
0005104482.tif 000004
【図４】
0005104482.tif 000005
【図５】
0005104482.tif 000006
【図６】
0005104482.tif 000007
【図７】
0005104482.tif 000008
【図８】
0005104482.tif 000009